(57)【要約】【課題】インキ量の調整を排紙部において行なうことができると共に、印刷物の印刷状態を目視によってチェックできるようにした枚葉輪転印刷機を提供することである。【解決手段】印刷機の排紙部３が挿入される空間１１を有する可動台１０の上部にインキ量調整用の操作部１４と、印刷物を載置する載置部１５とを有する操作パネル１３を設ける。排紙部３に可動台１０をセットし、試し刷りされた印刷物と刷見本との比較により、操作パネル１３に設けられた操作部１４の操作によってインキ量を調整する。排紙部３から可動台１０を移動させて、排紙部３の上部に設けられた透明カバー上より目視によって印刷物の印刷状態をチェックする。【選択図】図１
2005262711.tif 000002
【特許請求の範囲】
【請求項１】
給紙部、印刷部および排紙部を有し、前記給紙部から印刷部に給紙されるシート状物を印刷部において印刷したのち、排紙部に搬送して積み上げるようにした枚葉輪転印刷機において、前記排紙部が挿入可能な空間を有する可動台上に、前記印刷部のインキ量をコントロールする操作部、および印刷後の印刷物を載置する載置部を有する操作パネルを設けたことを特徴とする枚葉輪転印刷機。
【発明の詳細な説明】
【技術分野】
【０００１】
この発明は、印刷部のインキ量等を遠隔操作によってコントロールすることができるようにした枚葉輪転印刷機に関するものである。
【背景技術】
【０００２】
一般に、枚葉輪転印刷機においては、本刷りに先立って試し刷りが行なわれ、その試し刷りされた印刷物と刷見本とを比較した上で、各セクション毎に分割されたインキブレードとつぼローラ間の間隙を調整してインキ量を調整することが行なわれる。
【０００３】
そのようなインキ量の調整を排紙部側において遠隔操作し得るようにした枚葉輪転印刷機が特許文献１に記載されている。
【０００４】
上記特許文献１に記載された枚葉輪転印刷機においては、排紙部上に操作パネルを設け、その操作パネルに印刷物を載置する刷見台と、操作部とを設け、その操作部の操作によってインキ量等を遠隔操作するようにしている。
【特許文献１】特開２００１−８００５０号公報
【発明の開示】
【発明が解決しようとする課題】
【０００５】
ところで、上記特許文献１に記載された枚葉輪転印刷機においては、排紙部上に設けられた操作パネルが設置位置を変更することができない定置されたものであるため、以下のように不都合がある。
【０００６】
すなわち、枚葉輪転印刷機においては、普通、排紙部の上側のカバーを透明とし、その透明カバー上から排紙部上に連続して送り込まれて積み重ねられる印刷物の印刷状態を目視によりチェックし、不良の印刷物を発見した場合に、印刷機を一時停止させて不良の印刷物を取り除き、あるいは調整のやり直しを行なうようにしているが、上記のように、排紙部上に設けられた操作パネルが定置されたものであると、目視による印刷物のチェックを行なうことができず、不良の印刷物が連続して印刷された場合に多数の損紙が発生することになる。
【０００７】
この発明の課題は、インキ量の調整を排紙部において行なうことができると共に、試し刷り後の本刷り時に印刷物の印刷状態を目視によってチェックすることができるようにした枚葉輪転印刷機を提供することである。
【課題を解決するための手段】
【０００８】
上記の課題を解決するために、この発明においては、給紙部、印刷部および排紙部を有し、前記給紙部から印刷部に給紙されるシート状物を印刷部において印刷したのち、排紙部に搬送して積み上げるようにした枚葉輪転印刷機において、前記排紙部が挿入可能な空間を有する可動台上に、前記印刷部のインキ量をコントロールする操作部、および印刷後の印刷物を載置する載置部を有する操作パネルを設けた構成を採用したのである。
【０００９】
ここで、操作パネルは、インキ量調整機構を制御する制御部とコードで接続された有線コントロール方式のものであってもよく、あるいは上記制御部に無線で制御信号を出力する無線コントロール方式のものであってもよい。
【発明の効果】
【００１０】
上記のように、可動台によって操作パネルを支持したことによって、試し刷り印刷時、上記可動台の空間内に排紙部が挿入されるよう上記排紙部に可動台をセットすることによって、排紙部において試し刷り印刷物と刷見本とを見比べながらインキ量の調整を行なうことができる。
【００１１】
また、本刷り印刷の際に、その可動台を移動させて排紙部から取り除くことによって、排紙部の上方から目視によって印刷物の印刷状態をチェックすることができる。
【００１２】
ここで、可動台の下部に回転自在の接地ローラを設けておくと、可動台を容易に移動させることができる。
【発明を実施するための最良の形態】
【００１３】
以下、この発明の実施の形態を図面に基づいて説明する。
【００１４】
図１に示すように、枚葉輪転印刷機は、給紙部１、印刷部２および排紙部３をタンデムに配置した構成とされ、上記印刷部２には複数の印刷ユニットＵが設けられ、隣接する印刷ユニットＵ間に渡し胴４が設けられている。
【００１５】
印刷部２は、給紙部１から送り込まれるシート状物Ｓ0 を連続して印刷する。その印刷物Ｓ1 は排紙部３に設けられた排紙装置５により紙積み台６上まで搬送されて、その紙積み台６上に積み重ねられる。ここで、排紙部３は、図では省略したが、透明カバーを上部に有し、その透明カバー上より紙積み台６上に積み重ねられる印刷物Ｓ1 の印刷状態を目視によってチェックし得るようになっている。
【００１６】
排紙部３には可動台１０が設けられている。図１および図２に示すように、可動台１０は排紙部３が挿入可能な空間１１を有し、下部には回転可能な接地ローラ１２が設けられて任意の位置に移動し得るようになっている。
【００１７】
可動台１０上には操作パネル１３が設けられている。操作パネル１３は傾斜状に支持され、その操作パネル１３に印刷部２の各印刷ユニットＵにおけるインキ供給装置、給水装置、見当装置等を遠隔操作によって制御する各種の操作部１４と、印刷物Ｓ1 や刷見本を載置する載置部１５とが設けられている。
【００１８】
実施の形態で示す枚葉輪転印刷機において、印刷物の試し刷りに際しては、図１に示すように、可動台１０を、その空間１１内に排紙部３が挿入されるよう上記排紙部３にセットし、試し刷りされた印刷物Ｓ1 を紙積み台６から取り出し、その印刷物Ｓと刷見本を載置部１５に載置して見比べ、操作パネル１３に設けられた操作部１４の操作によりインキ量や水量あるいは見当合わせ等の調整を行なうようにする。
【００１９】
一方、印刷物の本刷りに際しては、可動台１０を移動させて排紙部３から取り除き、透明カバー上から紙積み台６上に積み重ねられる印刷物の印刷状態をチェックする。
【００２０】
このように、可動台１０を排紙部３にセットすることによって、その排紙部３においてインキ量等を遠隔操作により調整することができるため、作業性が良好であり、しかも、可動台１０はその空間１１内に排紙部３が挿入されるセット状態であるため、可動台１０の設置に場所をとらず、排紙部３上の空間の有効利用を図ることができる。
【００２１】
また、排紙部３から可動台１０を移動させることによって、排紙部３上から印刷物Ｓ1 の印刷状態をチェックすることができる。
【図面の簡単な説明】
【００２２】
【図１】この発明に係る枚葉輪転印刷機の正面図
【図２】可動台を示す斜視図
【符号の説明】
【００２３】
１    給紙部
２    印刷部
３    排紙部
１０  可動台
１１  空間
１３  操作パネル
１４  操作部
【図１】
2005262711.tif 000003
【図２】
2005262711.tif 000004